(57)【要約】【課題】  いつでも手軽に使用できる家庭用岩盤浴装置を安価に提供する。【解決手段】  本発明は人体が仰臥可能な形状及び寸法の敷台１と、この敷台１上に着脱可能に敷き詰めてある複数の陶板２と、敷台とこれらの陶板との間に設けてある温度調整可能な発熱体３とからなる。敷台は畳１畳よりも小さめにでき、コントローラ４の操作により温度調整可能なので、家庭でいつでも岩盤浴を楽しむことができる。敷き詰められた陶板上に仰臥して陶板２を適温に加熱すれば遠赤外線等の作用により健康増進やリラックス感が得られる。不使用時には陶板を取り外して敷台１を壁などに立てかけて保管可能なので保管面積もあまり問題にならない。敷台の長手方向を横断するように複数に切断して複数の部分敷台とし、これらを複数の蝶番で揺動可能に連結することにより折り畳み可能とすれば、さらに保管スペースを小さくすることができる。【選択図】      図２
2008289623.tif 000002
【特許請求の範囲】
【請求項１】
人体が仰臥可能な形状及び寸法の敷台と
上記敷台上に着脱自在に敷き詰めてある複数の陶板と、
上記敷台と上記陶板との間に設けてある温度調整可能な発熱体と
からなることを特徴とする家庭用岩盤浴装置。
【請求項２】
請求項１において、上記敷台は長手方向を複数に分割分してあり、上記分割した各分敷台を複数の蝶番で揺動可能に連結することにより折り畳み可能としてあることを特徴とする家庭用岩盤浴装置。
【発明の詳細な説明】
【技術分野】
【０００１】
本発明は一般家庭の室内等どこにでも設置可能な岩盤浴装置に関するものである。
【背景技術】
【０００２】
最近岩盤浴による健康法が注目され、著名な温泉地の他、各種の施設や保養所などにも設置されるようになり、愛好者も増加の傾向にあることが窺われる。しかしながらこのような施設に継続的に通うことは経済的及び時間的に困難が伴うことから、手軽に自宅で利用することができる岩盤浴装置が要望されている。これに対応していくつかの提案がされている。その第１例として、ブラックシリカの表面積の多い岩盤浴スライス平盤からなる岩盤を床暖房パネル上に直接載せ、これを加熱して遠赤外線を発するようにしたものがある（特許文献１）。第２例として、僅かな熱でマイナスイオン、遠赤外線を放射する電気石、石英岩等を砕いたものを主原料とする可変パイプをマットに入れ、耐熱ゴムに電熱線を埋め込んだマットを基本構成とし、このマットを折り畳み可能とすることにより一人の利用者が入ることのできる寝袋型に仕上げたおり畳み式岩盤浴装置がある。これは誰もが手軽に利用可能であり、コンパクトであることから持ち運び及び保管容易であることが認められる。
【０００３】
【特許文献１】特開２００７−５４５６９号公報
【特許文献２】特開２００６−３２０６８７号公報
【発明の開示】
【発明が解決しようとする課題】
【０００４】
上記第１例は、温水循環可能なボイラーを利用し、室内の床と壁とに設備を直接取り付けるものであるので、設備コストが高く、移動性に乏しいので誰にでもどこででも利用可能とすることには不向きである。これに対し、上記第２例は、非常にコンパクトで持ち運びにも便利であることが認められるが、遠赤外線等を発する可変パイプをマットに埋設し、さらにマットに電熱線を埋め込むものであるので、製造コストが高くなることと使用する際の手間が面倒であることが窺われる。本発明は、簡単な構成で何時どこででも容易に利用可能にした家庭用岩盤浴装置を安価に提供することを課題とするものである。
【課題を解決するための手段】
【０００５】
上記の課題を解決するために本発明の家庭用岩盤浴装置は、以下の手段を採用し、以下の作用効果を生じるようにしたものである。請求項１に記載した発明の家庭用岩盤浴装置は、人体が仰臥可能な形状及び寸法の敷台と、この敷台上に着脱自在に敷き詰めてある複数の陶板と、上記の敷台と上記の陶板との間に設けてある温度調整可能な発熱体とにより構成してある。
【０００６】
敷台上に複数の陶板を安定するように敷き詰め、敷台と陶板との間に介在させてある発熱体で所望の温度に加熱すると、陶板の加熱により健康増進効果をもたらす遠赤外線が発生する。陶板上に薄い敷物を敷いてその上に仰臥すると、遠赤外線により人体の芯まで暖められて健康上好ましい効果が得られる。陶板として遠赤外線を多量に発する物質又は人体に無害な放射線などを発する物質で構成したものを採用すれば上記の効果はさらに著しいものとなる。この岩盤浴装置は畳１枚ほどの面積で適度な厚さにコンパクト化したものであるので、運搬及び収納が容易である。したがって畳１畳に相当する面積がある場所であれば屋内外のどこででも利用可能である。
【０００７】
請求項２に記載した発明の家庭用岩盤浴装置は、上記の敷台の長手方向を複数に分割してあり、分割してなる各部分敷台を複数の蝶番で揺動可能に連結することにより折り畳み可能としてあることを特徴とする。陶板は敷台に固定するものと着脱自在なものとする２通りがあるが、いずれの場合にもこの敷台を単独、又は陶板を装着したままの状態で折り畳んでコンパクトな状態で収納及び運搬可能としてある。このようにして場所を選ばずどこでても状況に応じて利用可能としてあるところに本発明の特徴がある。
【発明の効果】
【０００８】
本発明の家庭用岩盤浴装置は、簡単な構成かつコンパクトなものであるので、家庭でいつでも手軽に利用できることにより、わざわざ温泉地や利用涼気の高額な施設へ出掛けることなく健康増進やリラックスの効果を得ることが可能となる。また、敷台を折り畳み可能にすればさらにコンパクト化が可能となるので運搬や保管もさらに容易となる。
【発明を実施するための最良の形態】
【０００９】
図１は実施例１に係る家庭用岩盤浴装置を平面図で示したものであり、図２はこの装置を利用している状態を断面図風に示したものである。この家庭用岩盤浴装置は、人体が仰臥可能な形状及び寸法の敷台１と、この敷台上に着脱自在に敷き詰めてある複数の陶板２，…と、敷台と陶板との間に設けてある発熱体３及び電源のオン・オフ及び温度調整をするためのコントローラ４とを基本構成としてある。
【００１０】
図１に示すように、長方形の敷台１の上面に陶板２，…が２行６列に並べて敷き詰めてある。敷台１と陶板２との間には発熱体である電熱線３が配線してある。電熱線３は家庭用交流電源に接続可能であるとともに、コントローラ４を備えている。敷台１は木材を用いて縦２１００ｍｍ、横８００ｍｍの長方形に形成したものからなり、厚さは５０〜１００ｍｍ程度とし、周囲に陶板２がずれないようにするための縁部１ａが設けてある。また、縁部１ａの各陶板２の一辺と対接する位置には、敷台からの陶板除去作業を容易にするための凹部１ｂ，…が設けてある。陶板１は厚さが１５〜２０ｍｍで３００ｍｍ×３００ｍｍのものを敷台１上に隙間無しに整然と配置してある。陶板１は加熱により遠赤外線を多量に発生可能な性質を有するものが望ましい。特に健康増進を志向するものについては天照石（登録商標）の粉末を主成分とするものを採用することが望ましい。
【００１１】
図３に示すように、敷台１の上面には電熱埋め込み用の凹部１ｃが設けてあり、電熱線３は各陶板１の下面に僅かに押圧変形する程度に当接するようにしてある。電熱線３は電気カーペット用又は電気毛布用のＰＶ線を採用してあり、コントローラ４により温度が６０℃以上には上昇しないように規制可能してある。
【００１２】
この岩盤浴装置の使用法は、図１、図２に示すように水平に置かれた敷台１上に１２枚の陶板１を敷き詰め、電源スイッチを入れて３０分間ほど陶板を予熱しておく。予熱時には予熱時間を短くするために使用温度よりも高い温度に設定しておくと良い。使用する際には衛生上及び低温やけど対策のために陶板１の上にタオルケットなどの薄い敷物７を敷き、その上に横たわるようにすることが望ましい。陶板１が約５０℃前後の適温になったらその上に仰臥し、人体上に毛布又はタオルケットなどの上掛け８を被せて３０〜５０分間岩盤浴をする。岩盤浴温度は気温や好み等に合わせてコントローラ４で調整する。使用後長期間使用休止するような場合には、各陶板を敷台から取り外して積み重ね、敷台を壁等に立てかけるようにすれば場所を多く取らずに保管可能となる。
【００１３】
上記の家庭用岩盤浴装置の変形例としては、図４（ａ）に示すように、敷台１１を長手方向の中央部で２分し、上半身が位置する上部分敷台１１ａと、下半身が位置する下部分敷台１１ｂとを適当な個数の蝶番１６，…で連結したものがある。これにより上下の敷台は１８０度の範囲で揺動可能となるので、同図（ｂ）に示すように、敷台の上面同士が対向するように折り畳み可能とすることができる。したがって使用する場合には、同図（ａ）に示すように、敷台１１を開いて水平に置き、上面に陶板を敷き詰め、上述の要領で岩盤浴をすればよく、使用しない時には、同図（ｂ）に示すように、２つ折りにしてバンド（図示略）で開かないようにして保管すれば良い。もちろん蝶番１６を敷台１１の下面側に設けて下面同士が当接するようにすることも可能である。上下の敷台１１ａ，１１ｂの中央部をさらに２分して４つ折りにしてさらに収納スペースの縮小化を図ってもよい。
【００１４】
その他、敷台にキャスターを取り付けて移動可能とし、あるいは各陶板を敷台にビス又は木ねじなどで固定して敷台と各陶板とを常に一体となるようにしても良い。その他、６行２列に配列してある陶板の行間を蝶番で連結し、行同士を折り重ねた状態とすることにより着脱作業を容易化するようにしても良い。上述の説明では陶板の平面寸法を３００×３００としてあるが、これよりも少し小さめの寸法とすることにより敷台の全長を畳の長さに合わせるようにすれば設置・保管に便利になる。また、敷台の材質を木材としてあるが、これを合成樹脂あるいはアルミニウムなどの金属で構成しても良い。
【産業上の利用可能性】
【００１５】
敷台と陶板及びコントローラ等を主要素とする製造品であり、本発明の実施により製造・販売等の産業発展に寄与する。
【図面の簡単な説明】
【００１６】
【図１】本発明の形態例を示す平面図である。
【図２】本発明の使用状態を示す説明図である。
【図３】敷台と陶板と電熱線との関係を示す断面図である。
【図４】本発明の変形例を示すものであり、（ａ）は使用可能状態を縦にして示した側面図であり、（ｂ）は２つ折りにした状態を縦にして示した側面図である。
【符号の説明】
【００１７】
１、１１    敷台
２          陶板
３          発熱体（電熱線）
４          温度調整手段（コントローラ）
１６          蝶番
【図１】
2008289623.tif 000003
【図２】
2008289623.tif 000004
【図３】
2008289623.tif 000005
【図４】
2008289623.tif 000006